(57)【要約】  切断推定部３５０により、常時電源からの電力供給が途絶えたと判断された後は、マッチングユニット３４０が、波形検出ユニット３１０及び波形解析ユニット３２０において収集解析された波形解析信号ＡＳＤj（ｊ＝１〜Ｎ）と、記憶ユニット３３０に記憶されている電圧信号ＳＧＮjの電圧変化パターンＰＴＤjとのマッチング処理を行う。かかるマッチング処理の結果、今回、収集解析した波形解析信号ＡＳＤjと電圧変化パターンＰＴＤjとの差が許容範囲内でなかった場合には、解析処理部３６０が、本体通信部３７０を介して、セキュリティロックを設定すべきセキュリティ報告ＳＣＩを本体部１２０へ向けて送る。このセキュリティ報告ＳＣＩを受けた本体部１２０は、セキュリティロックの設定を行う。このため、車両等に搭載された電装品の盗難を防止しつつ、利用者の利便性を向上させることができる。
2009075021.tif 000002
【特許請求の範囲】
【請求項１】
所定の動作環境で特定機能の動作を行うとともに、前記所定の動作環境からの切り離しが可能な情報処理装置であって、
前記所定の動作環境において発生した少なくとも１つの信号の変化を検出する検出手段と；
前記所定の動作環境から切り離されたことを推定する推定手段と；
前記推定手段により前記所定の動作環境から切り離されたと推定された後に、その後の前記検出手段による検出結果と、前記所定の動作環境から切り離されたと推定される前の信号の変化とを比較する比較手段と；
前記比較手段による比較結果に基づいて、前記特定機能の動作を継続して行わせるか否かを制御する制御手段と；
を備えることを特徴とする情報処理装置。
【請求項２】
前記検出手段による検出結果に基づいて、前記少なくとも１つの信号ごとの信号変化パターンを算出する算出手段を更に備え、
前記所定の動作環境から切り離されたと推定される前の信号の変化は、前記算出手段により算出された前記信号変化パターンに基づいて特定される、
ことを特徴とする請求項１に記載の情報処理装置。
【請求項３】
前記検出手段は、前記信号の変化があったときから開始し、開始から所定時間を経過したときに、前記信号変化の検出を終了する、ことを特徴とする請求項１又は２に記載の情報処理装置。
【請求項４】
前記推定手段は、前記所定の動作環境からの動作電力供給が途絶えた場合に、前記所定の動作環境から切り離されたと推定する、ことを特徴とする請求項１〜３のいずれか一項に記載の情報処理装置。
【請求項５】
前記制御手段は、前記推定手段により前記所定の動作環境から切り離されたと推定された場合に、前記検出手段及び前記算出手段の動作を停止させる、ことを特徴とする請求項１〜４のいずれか一項に記載の情報処理装置。
【請求項６】
正規利用者であることを確認する利用者確認手段を更に備え、
前記制御手段は、前記特定機能の動作の保留中に、前記利用者確認手段により前記正規利用者であることが確認されると、動作の保留解除を行い、前記特定機能の動作を開始させる、
ことを特徴とする請求項１〜５のいずれか一項に記載の情報処理装置。
【請求項７】
前記制御手段は、前記利用者確認手段により前記正規利用者であることが確認された場合に、前記記憶手段内の記憶内容を初期化するとともに、前記検出手段及び前記算出手段の動作を開始させる、ことを特徴とする請求項６に記載の情報処理装置。
【請求項８】
車両内に設置され、
前記検出手段は、前記車両で発生する少なくとも１つの電気信号の変化を検出する、
ことを特徴とする請求項１〜７のいずれか一項に記載の情報処理装置。
【請求項９】
前記電気信号は、前記車両に固定的に配設された機器に供給される動作電力配線における電圧信号である、ことを特徴とする請求項８に記載の情報処理装置。
【請求項１０】
所定の動作環境で特定機能の動作を行うとともに、前記所定の動作環境からの切り離しが可能な情報処理装置において使用される機能動作制御方法であって、
前記所定の動作環境において発生した少なくとも１つの信号の変化を検出する検出工程と；
前記所定の動作環境から切り離されたことを推定する推定工程と；
前記推定工程における推定結果に基づいて、前記所定の動作環境から切り離されたと推定された後に、その後の前記検出工程における検出結果と、前記所定の動作環境から切り離されたと推定される前の信号の変化とを比較する比較工程と；
前記比較工程における比較結果に基づいて、前記特定機能の動作を継続して行わせるか否かを制御する制御工程と；
を備えることを特徴とする機能動作制御方法。
【請求項１１】
請求項１０に記載の機能動作制御方法を演算手段に実行させる、ことを特徴とする機能動作制御プログラム。
【請求項１２】
請求項１１に記載の機能動作制御プログラムが演算手段により読み取り可能に記録されている、ことを特徴とする記録媒体。
【発明の詳細な説明】
【技術分野】
【０００１】
本発明は、情報処理装置、機能動作制御方法及び機能動作制御プログラム、並びに当該機能動作制御プログラムが記録された記録媒体に関する。
【背景技術】
【０００２】
車両等には、様々な電装品が搭載されている。こうした電装品のなかには、ナビゲーション装置やオーディオ装置等の高価なものが多数ある。このため、かかる高価な電装品が、車上荒らし等により盗難されることが懸念される。【０００３】
この車上荒らし等による電装品の盗難被害を防止するための手立てとして、様々な技術が提案されている。こうした技術の一つとして、電装品が車両から取り外される場合には、常時電源からの電力供給が途絶えることに着目したものがある（特許文献１参照：以下、「従来例」と呼ぶ）。この技術は、常時電源からの電力供給が遮断された場合に電装品にセキュリティロックがかかり、再度常時電源からの電力供給が再開されたとしても、パスワード等の識別情報を入力しなければ、そのセキュリティロックを解除できないようにすることで、盗難を防止するものである。【０００４】
【特許文献１】特開平１１−２２７５３４号公報
【発明の開示】
【発明が解決しようとする課題】
【０００５】
しかしながら、上述した従来例の技術では、車両のバッテリ交換等の、盗難とは何ら関係のない利用者の行為によっても、電装品にセキュリティロックがかかってしまう。そして、一旦セキュリティロックがかかってしまうと、利用者がその度にパスワード等の識別情報を入力して、セキュリティロックを解除しなければならない。かかる識別情報の入力操作は、利用者に面倒さを感じさせるものであった。【０００６】
このため、セキュリティを確保しつつ、ロックの解除に必要な利用者の操作を極力減らすことができる技術が待望されている。かかる要請に応えることが、本発明が解決すべき課題の一つに挙げられる。【０００７】
本発明は、上記の事情を鑑みてなされたものであり、セキュリティロック動作を合理的に制御することにより、車両等に搭載された電装品の盗難を防止しつつ、利用者の利便性を向上することができる情報処理装置及び機能動作制御方法を提供することを目的とする。
【課題を解決するための手段】
【０００８】
本発明は、第１の観点からすると、所定の動作環境で特定機能の動作を行うとともに、前記所定の動作環境からの切り離しが可能な情報処理装置であって、前記所定の動作環境において発生した少なくとも１つの信号の変化を検出する検出手段と；前記所定の動作環境から切り離されたことを推定する推定手段と；前記推定手段により前記所定の動作環境から切り離されたと推定された後に、その後の前記検出手段による検出結果と、前記所定の動作環境から切り離されたと推定される前の信号の変化とを比較する比較手段と；前記比較手段による比較結果に基づいて、前記特定機能の動作を継続して行わせるか否かを制御する制御手段と；を備えることを特徴とする情報処理装置である。【０００９】
本発明は、第２の観点からすると、所定の動作環境で特定機能の動作を行うとともに、前記所定の動作環境からの切り離しが可能な情報処理装置において使用される機能動作制御方法であって、前記所定の動作環境において発生した少なくとも１つの信号の変化を検出する検出工程と；前記所定の動作環境から切り離されたことを推定する推定工程と；
前記推定工程における推定結果に基づいて、前記所定の動作環境から切り離されたと推定された後に、その後の前記検出工程における検出結果と、前記所定の動作環境から切り離されたと推定される前の信号の変化とを比較する比較工程と；前記比較工程における比較結果に基づいて、前記特定機能の動作を継続して行わせるか否かを制御する制御工程と；を備えることを特徴とする機能動作制御方法である。【００１０】
本発明は、第３の観点からすると、本発明の機能動作制御方法を演算手段に実行させる、ことを特徴とする機能動作制御プログラムである。【００１１】
本発明は、第４の観点からすると、本発明の機能動作制御プログラムが演算手段により読み取り可能に記録されている、ことを特徴とする記録媒体である。
【図面の簡単な説明】
【００１２】
【図１】本発明の一実施形態に係るナビゲーション装置の構成を概略的に示すブロック図である。
【図２】図１の本体部の構成を示すブロック図である。
【図３】図２の制御ユニットの構成を示すブロック図である。
【図４】図１の波形検出処理部に対する信号の入出力を説明するための図である。
【図５】図１の波形検出処理部の構成を示すブロック図である。
【図６】図５の波形検出ユニットの構成を示すブロック図である。
【図７】図５の波形解析ユニットの構成を示すブロック図である。
【図８】図５の記憶ユニットの構成を示すブロック図である。
【図９】図５のマッチングユニットの構成を示すブロック図である。
【図１０】図５の切断推定部におけるセキュリティ関連処理を説明するためのフローチャートである。
【図１１】図５の波形検出処理部におけるセキュリティ関連処理を説明するためのフローチャートである。
【図１２】図３のセキュリティ制御部におけるセキュリティ関連処理を説明するためのフローチャートである。
【発明を実施するための最良の形態】
【００１３】
以下、本発明の一実施形態を、図１〜図１２を参照して説明する。なお、以下の説明及び図面においては、同一の又は同等の要素には同一の符号を付し、重複する説明は省略する。【００１４】
［構成］
図１には、一実施形態に係る情報処理装置としての、車両搭載用のナビゲーション装置１００およびナビゲーション装置１００が搭載される車両９００の概略的な構成がブロック図にて示されている。このナビゲーション装置１００は、通常のナビゲーション機能に加えて、セキュリティ機能を有している。【００１５】
この図１に示されるように、ナビゲーション装置１００が搭載される車両９００には、車両電源部９１０と、電装系９３０と、走行センサユニット９４０とが備えられている。【００１６】
車両電源部９１０は、不図示のヒューズボックスや、アクセサリ電源（以下、「ＡＣＣ電源」とも記す）や常時電源（以下、「ＢＫＰ電源」とも記す）等の電源を備えて構成されている。ヒューズボックスは、電源からの電力供給を受けて、電装系９３０を構成する各機器に電力ＳＥＰ1〜ＳＥＰNを分配する。【００１７】
なお、電装系９３０と、走行センサユニット９４０との構成については、以下のナビゲーション装置１００の説明とともに、説明する。【００１８】
次に、ナビゲーション装置１００について説明する。本実施形態に係るナビゲーション装置１００は、電源ブロック１１０と、本体部１２０と、波形検出処理部１３０とを備えている。【００１９】
電源ブロック１１０は、車両電源部９１０のＡＣＣ電源とＢＫＰ電源とに接続されている。そして、電源ブロック１１０は、本体部１２０に対して、所定電圧値の動作用電力ＡＰＷを供給する。ここで、ＡＣＣ電源は、車両９００のキーシリンダに挿入されたエンジンキーの回動に従って、動作用電力の供給のオン／オフが制御される電源である。一方、ＢＫＰ電源は、常に動作用電力を供給する電源である。【００２０】
本体部１２０は、図２に示されるように、制御ユニット２１０と、記憶装置２２０とを備えている。【００２１】
また、本体部１２０は、音出力ユニット２３０と、表示ユニット２４０と、操作入力ユニット２５０とを備えている。【００２２】
さらに、本体部１２０は、走行センサインターフェイス部２６０と、ＧＰＳ（Global Positioning System）受信ユニット２７０とを備えている。【００２３】
なお、上記の制御ユニット２１０以外の要素２２０〜２７０は、制御ユニット２１０に接続されている。【００２４】
制御ユニット２１０は、ナビゲーション装置１００の全体を統括制御する。この制御ユニット２１０の詳細については、後述する。【００２５】
記憶装置２２０は、不揮発性の記憶装置であるハードディスク装置等から構成される。記憶装置２２０内には、ナビゲーション利用情報２２１などの様々な情報が記憶されており、使用者の指定により必要に応じて読み出し及び書き込みが行われる。これらの情報をリード＆ライトデータＲＷＤと称する。【００２６】
音出力ユニット２３０は、例えば、（ｉ）制御ユニット２１０から受信した案内音声データＡＯＤをアナログ信号に変換するＤＡ変換器（Digital to Analog Converter）と、（ii）当該ＤＡ変換器から出力されたアナログ信号を増幅する増幅器と、（iii）増幅されたアナログ信号を音声に変換するスピーカとを備えて構成されている。この音出力ユニット２３０は、制御ユニット２１０による制御のもとで、車両の進行方向、走行状況、交通状況等の案内音声を出力する。【００２７】
表示ユニット２４０は、（ｉ）液晶パネル、有機ＥＬ（Electro Luminescence）パネル、ＰＤＰ（Plasma Display Panel）等の表示デバイスと、（ii）制御ユニット２１０から送出された表示制御データＩＭＤに基づいて、表示ユニット２４０全体の制御を行うグラフィックレンダラ等の表示コントローラと、（iii）表示画像データを記憶する表示画像メモリ等を備えて構成されている。この表示ユニット２４０は、制御ユニット２１０による制御のもとで、地図情報、操作ガイダンス情報、ナビゲーション装置１００の状態等を表示する。【００２８】
操作入力ユニット２５０は、ナビゲーション装置１００の本体部１２０に設けられたキー部、及び／又はキー部を備えるリモート入力装置等により構成される。ここで、本体部１２０に設けられたキー部としては、表示ユニット２４０の表示デバイスに設けられたタッチパネルを用いることができる。なお、キー部を有する構成に代えて、又は併用して音声認識技術を利用して音声にて入力する構成を採用することもできる。【００２９】
この操作入力ユニット２５０を利用者が操作することにより、ナビゲーション装置１００の動作内容の設定が行われる。例えば、目的地の設定、情報の検索設定、車両の走行状況の表示設定等を、利用者が操作入力ユニット２５０を利用して行う。こうした入力内容は、操作入力データＩＰＤとして、操作入力ユニット２５０から制御ユニット２１０へ向けて送られる。【００３０】
走行センサインターフェイス部２６０は、制御ユニット２１０と車両に搭載された走行センサユニット９４０との間におけるデータ授受に関して利用される。ここで、走行センサユニット９４０は、本実施形態では一例として、（ｉ）車両の移動速度を検出する車速センサと、（ii）車両に作用している加速度を検出する加速度センサと、（iii）車両の角速度を検出する角速度センサとを備えている。ここで、車速センサは、車軸や車輪の回転により出力されるパルス信号を検出する。また、加速度センサは、例えば、３次元方向の加速度を検出する。また、角速度センサは、例えば、いわゆるジャイロセンサとして構成され、角速度を検出する。これらの検出結果は、検出信号ＤＴＳとして走行センサインターフェイス部２６０へ送られる。この検出信号ＤＴＳを受けた走行センサインターフェイス部２６０は、走行センサユニット９４０による検出結果を、走行センサデータＤＴＤとして制御ユニット２１０へ向けて送る。【００３１】
ＧＰＳ受信ユニット２７０は、複数のＧＰＳ衛星からの電波の受信結果に基づいて、車両の現在位置の擬似座標値を算出する。また、ＧＰＳ受信ユニット２７０は、ＧＰＳ衛星から送出された時刻情報に基づいて、現在時刻を計時する。これら現在位置および現在時刻に関する情報は、ＧＰＳデータＧＰＤとして制御ユニット２１０へ送られる。【００３２】
次に、制御ユニット２１０について説明する。上述したように、制御ユニット２１０は、ナビゲーション装置１００の全体を統括制御する。この制御ユニット２１０は、図３に示されるように、ナビゲーション処理部２１１と、制御手段、及び、利用者確認手段としてのセキュリティ制御部２１２とを備えている。【００３３】
ナビゲーション処理部２１１は、上述した構成要素２３０〜２７０を直接的又は間接的に利用して、利用者にナビゲーション情報を提供する。例えば、ナビゲーション処理に対する操作入力ユニット２５０からの入力結果に沿って、走行センサインターフェイス部２６０を介して得られた走行センサデータＤＴＤ及びＧＰＳ受信ユニット２７０からの出力であるＧＰＳデータＧＰＤを利用して、必要なナビゲーション利用情報ＲＷＤを適宜読み出す。そして、ナビゲーション処理部２１１は、（ａ）利用者が指定する地域の地図を表示ユニット２４０の表示デバイスに表示するための地図表示、（ｂ）車両が地図上のどこに位置するのか、また、どの方角に向かっているのかを算出し、表示ユニット２４０の表示デバイスに表示して利用者に提示するマップマッチング、（ｃ）現在車両が存在する位置から、利用者が指定する任意の位置である目的地までの最適ルート検索、（ｄ）設定されたルートに沿って目的地まで運転するときに、目的地への到達予想時刻や、進行すべき方向を的確にアドバイスするために行われる、表示ユニット２４０の表示デバイスへの案内表示のための制御、及び、音出力ユニット２３０のスピーカから音声案内を出力するための制御等を行う。【００３４】
また、ナビゲーション処理部２１１は、セキュリティ制御部２１２から、ナビゲーション装置１００に対してセキュリティロックを設定するか否かのセキュリティ指令ＳＣＣを受ける。このセキュリティ指令ＳＣＣがセキュリティロックの設定指令であれば、ナビゲーション処理部２１１は、ナビゲーション機能の動作を保留状態にする。一方、このセキュリティ指令ＳＣＣがセキュリティロックの解除指令であれば、ナビゲーション処理部２１１は、ナビゲーション機能の動作を開始する。【００３５】
セキュリティ制御部２１２は、波形検出処理部１３０からの後述するセキュリティ報告ＳＣＩを受信すると、ナビゲーション装置１００に対してセキュリティロックを設定すべき旨のセキュリティ指令ＳＣＣを、ナビゲーション処理部２１１へ送る。【００３６】
また、セキュリティ制御部２１２は、上記の波形検出処理部１３０からのセキュリティ報告ＳＣＩに基づいて、ナビゲーション処理部２１１へ向けてセキュリティロックを設定すべき旨のセキュリティ指令ＳＣＣを送った場合には、音出力ユニット２３０及び／又は表示ユニット２４０を利用して、例えば、パスワードの入力を利用者に促す。そして、操作入力ユニット２５０から正しいパスワードが入力された場合には、セキュリティ制御部２１２は、ナビゲーション処理部２１１へ向けてセキュリティロックを解除すべき旨のセキュリティ指令ＳＣＣを発行するとともに、波形検出処理部１３０へ向けて初期化指令ＩＮＣを発行する。【００３７】
波形検出処理部１３０は、車両９００の電装系９３０で発生する様々な電気信号の変化の波形を検出して処理する。本実施形態では、波形検出処理部１３０は、図４に示されるように、ワイパースイッチ９３１とワイパーモータ９３２とを繋ぐ動作電力配線を介してワイパーモータ９３２に供給されるワイパーモータ９３２駆動用の電圧信号ＳＧＮ1や、ウインカースイッチ９３３とウインカー９３４との繋ぐ動作電力配線を介してウインカー９３４に供給されるウインカー９３４点滅用の電圧信号ＳＧＮ2等を監視する。そして、波形検出処理部１３０は、ワイパーモータ９３２の駆動時や、ウインカー９３４の点滅時等における電圧信号ＳＧＮ1〜ＳＧＮNの変化の波形を検出し、処理する。【００３８】
波形検出処理部１３０は、図５に示されるように、検出手段としての波形検出ユニット３１０と、算出手段としての波形解析ユニット３２０とを備えている。また、波形検出処理部１３０は、記憶ユニット３３０と、比較手段としてのマッチングユニット３４０とを備えている。さらに、波形検出処理部１３０は、推定手段としての切断推定部３５０と、解析処理部３６０と、本体通信部３７０とを備えている。【００３９】
波形検出ユニット３１０は、図６に示されるように、Ｎ個の個別波形検出部３１１1〜３１１Nを備えている。個別波形検出部３１１j（ｊ＝１〜Ｎ）のそれぞれは、電装系９３０におけるワイパーモータ９３２やウインカー９３４等の電装品に供給される動作電力の変化点を検出するエッジ検出部と、当該電力の電圧値を計測する電圧センサと、計測された電圧値をデジタル信号に変換するＡＤ変換器（Analog to Digital Converter）とを備えて構成されている。【００４０】
この個別波形検出部３１１jは、電装系９３０からの電圧信号ＳＧＮjを受ける。そして、エッジ検出部が所定値以上の電圧信号ＳＧＮjの変化を検出したとき（例えば、ワイパーモータ９３２の駆動時やウインカー９３４の点滅時等）から電圧信号ＳＧＮjの収集を開始し、所定時間が経過した後に電圧信号ＳＧＮjの収集を終了する。収集された電圧信号ＳＧＮjは、ＡＤ変換器によりデジタル信号に変換され、デジタル電圧信号ＳＧＤjとして波形解析ユニット３２０の後述する個別波形解析部３２１j（後述する図７参照）へ向けて送られる。なお、この所定値と、所定時間は、実験、シミュレーション、経験等に基づいて、予め定められる。【００４１】
波形解析ユニット３２０は、図７に示されるように、Ｎ個の個別波形解析部３２１1〜３２１Nを備えている。波形解析ユニット３２０は、解析処理部３６０からの後述する解析指令ＡＳＣに従い、波形検出処理部１３０の「学習モード」と「セキュリティモード」の２種類の波形解析処理を行う。【００４２】
ここで、「学習モード」とは、車両で発生する様々な電圧信号の変化の波形パターン（例えば、図４のワイパーモータ９３２の駆動時における電圧信号ＳＧＮ1の波形パターン、ウインカー９３４の点滅時における電圧信号ＳＧＮ2の波形パターン等）を学習するモードである。一方、「セキュリティモード」とは、車両で発生する様々な電圧信号の変化の波形パターン及び学習結果に基づいて、本体部１２０に対してセキュリティロックの設定をすべきである旨の通知をするか否かを判断するモードである。【００４３】
「学習モード」時における個別波形解析部３２１j（ｊ＝１〜Ｎ）は、波形検出ユニット３１０からのデジタル電圧信号ＳＧＤjを受けるとともに、記憶ユニット３３０にアクセスして電圧変化パターンＰＴＤjを読み取る。そして、個別波形解析部３２１jは、これらのデータをもとにして、電圧変化のパターンを解析する。かかる解析に際して、個別波形解析部３２１jは、今回収集したデジタル電圧信号ＳＧＤjと、これまでの学習結果である電圧変化パターンＰＴＤjとに基づいて、波形解析や統計処理等を行って、新たな電圧変化のパターンを算出する。そして、個別波形解析部３２１jは、新たに算出した電圧変化のパターンを、記憶ユニット３３０の記憶領域へ書き込み、電圧変化パターンＰＴＤjを更新する。【００４４】
なお、この電圧変化パターンＰＴＤjは、車両に固定的に配設された機器（ワイパーモータ９３２、ウインカー９３４等）ごとに異なるものであり、検出開始から最初のピークが現れるまでの時間、ピーク数、ピーク幅等の、電圧変化のパターンを特徴づける様々な情報が含まれている。【００４５】
また、「セキュリティモード」時における個別波形解析部３２１jは、波形検出ユニット３１０からのデジタル電圧信号ＳＧＤjを受ける。そして、個別波形解析部３２１jは、このデジタル電圧信号ＳＧＤjをもとにして、電圧変化を解析する。かかる解析結果は、波形解析信号ＡＳＤjとして、個別波形解析部３２１jからマッチングユニット３４０へ向けて送られる。【００４６】
記憶ユニット３３０は、フラッシュＲＯＭ（Read Only Memory）等の書き込み可能な不揮発性記憶素子から構成されている。この記憶ユニット３３０は、図８に示されるように、Ｎ個の個別記憶部３３１1〜３３１Nを備えている。この個別記憶部３３１j（ｊ＝１〜Ｎ）の記憶領域には、個別波形解析部３２１jにおいて算出した電圧変化パターンＰＴＤj等が記憶されている。この電圧変化パターンＰＴＤjは、「学習モード」時においては、前述したように波形解析ユニット３２０からのアクセスにより読み出される。一方、「セキュリティモード」時においては、後述するように、マッチングユニット３４０からのアクセスにより読み出される。【００４７】
なお、記憶ユニット３３０内の電圧変化パターンＰＴＤjは、本体部１２０からの初期化指令ＩＮＣが後述する本体通信部３７０を介して供給されると、解析処理部３６０からの消去信号ＤＥＣにより消去されるようになっている（図５参照）。【００４８】
マッチングユニット３４０は、解析処理部３６０からの後述するマッチング処理指令ＭＴＣを受け、「セキュリティモード」時にのみ、処理を行う。このマッチングユニット３４０は、図９に示されるように、Ｎ個の個別マッチング部３４１1〜３４１Nと、判定部３４２とを備えている。【００４９】
個別マッチング部３４１j（ｊ＝１〜Ｎ）は、波形解析ユニット３２０からの波形解析信号ＡＳＤjを受けるとともに、記憶ユニット３３０の記憶領域にアクセスして電圧変化パターンＰＴＤjを読み取る。そして、個別マッチング部３４１jは、これらのデータをもとにして、マッチング処理を行う。かかるマッチング処理に際して、個別マッチング部３４１jは、今回収集し解析した波形解析信号ＡＳＤjと、電圧変化パターンＰＴＤjとの差が許容範囲内にあるか否かを判定する。このマッチング処理における判定は、今回、収集解析した波形解析信号ＡＳＤjに特定のパターンが出現するかどうか、または、この特定パターンがどこに出現するか等を適切なアルゴリズムによって行う。なお、バッテリの電気容量の縮小による変化も考慮し、電圧変化のピーク値を規格化した処理を行う。【００５０】
かかるマッチング処理の結果、今回、収集解析した波形解析信号ＡＳＤjと電圧変化パターンＰＴＤjとの差が許容範囲内であった場合には、個別マッチング部３４１jは、判定部３４２へ向けて、両データがマッチングした旨のマッチング結果ＭＴＲjを送る。一方、今回、収集解析した波形解析信号ＡＳＤjと電圧変化パターンＰＴＤjとの差が許容範囲外であった場合には、個別マッチング部３４１jは、両データがマッチングしていない旨のマッチング結果ＭＴＲjを送る。【００５１】
判定部３４２は、個別マッチング部３４１jからのマッチング結果ＭＴＲjを受ける。そして、判定部３４２は、両データがマッチングしていない旨のマッチング結果ＭＴＲjを受けた場合に、ナビゲーション装置１００に対して、セキュリティロックをかけるべき旨の報告ＲＥＳを、解析処理部３６０へ向けて発行する。【００５２】
図５に戻り、切断推定部３５０は、不図示の充電式電池と、不揮発性の記憶領域を備えて構成されている。この切断推定部３５０は、ＢＫＰ電源からの電力供給が途絶えたか否かを監視する。ＢＫＰ電源からの電力供給を監視することにより、盗難によって車両からナビゲーション装置１００が取り外され、その後に別車両に装備された可能性を知ることができる。監視の結果、切断推定部３５０によって、ＢＫＰ電源からの電力供給が途絶えたことが検知されたときは、切断フラグをＯＮにして、当該記憶領域内に記憶しておく。そして、ＢＫＰ電源からの動作供給が再開されたときに、切断推定部３５０は、ＢＫＰ電源からの電力供給が途絶えた旨の切断報告ＣＯＦを解析処理部３６０へ送る。【００５３】
なお、当該記憶領域内のＯＮ状態の切断フラグは、本体部１２０から初期化指令ＩＮＣが通知されると、解析処理部３６０による通知ＣＬＣにより、切断フラグはＯＦＦに切替えられるようになっている。【００５４】
解析処理部３６０は、切断推定部３５０からの切断報告ＣＯＦを受けていないときには、「学習モード」の処理を行い、切断推定部３５０からの切断報告ＣＯＦを受けたときには、「セキュリティモード」の処理を行う。【００５５】
「学習モード」時における解析処理部３６０は、波形解析ユニット３２０へ向けて、上述した「学習モード」の動作を行うべき旨の解析指令ＡＳＣを発行する。【００５６】
一方、「セキュリティモード」時における解析処理部３６０は、波形解析ユニット３２０へ向けて、上述した「セキュリティモード」の動作を行うべき旨の解析指令ＡＳＣを発行する。また、「セキュリティモード」における解析処理部３６０は、マッチングユニット３４０へ向けて、マッチング処理をすべき旨のマッチング処理指令ＭＴＣを発行する。また、「セキュリティモード」における解析処理部３６０は、マッチングユニット３４０からのセキュリティロックを設定すべき旨の報告ＲＥＳを受けると、本体通信部３７０を介して、セキュリティロックを設定すべきセキュリティ報告ＳＣＩを本体部１２０へ向けて送る。【００５７】
さらに、解析処理部３６０は、本体部１２０からの初期化指令ＩＮＣを受けると、消去信号ＤＥＣを発し、記憶ユニット３３０内の電圧変化パターンＰＴＤjを消去する。さらに、切断推定部３５０の記憶領域に記憶された切断フラグをＯＦＦにするための通知ＣＬＣを発する。【００５８】
本体通信部３７０は、本体部１２０との通信処理を行う。この本体通信部３７０は、本体部１２０からの初期化指令ＩＮＣを解析処理部３６０へ送ったり、波形検出処理部１３０からのセキュリティ報告ＳＣＩを本体部１２０へ向けて送ったりする。【００５９】
［動作］
以上のようにして構成されたナビゲーション装置１００の動作について、切断推定部３５０、波形検出処理部１３０（切断推定部３５０を除く）及び本体部１２０におけるセキュリティ関連動作に主に着目して説明する。【００６０】
前提として、図８に示す個別記憶部３３１j（ｊ＝１〜Ｎ）の記憶領域には、電圧変化パターンＰＴＤjが記憶されているのもとする。【００６１】
なお、個別記憶部３３１j内の電圧変化パターンＰＴＤjは、ナビゲーション装置１００を別車両に付替えた場合には、操作入力ユニット２５０からの操作によって消去することができる。こうして電圧変化パターンＰＴＤjが消去されたとき、または、工場出荷の直後には、ワイパーモータ９３２や、ウインカー９３４等の機器を動作させることで、新たな電圧変化パターンＰＴＤjが作成される。【００６２】
＜切断推定部３５０における処理＞
まず、切断推定部３５０におけるセキュリティ関連動作について説明する。この処理は、ＢＫＰ電源からの動作電力が、切断推定部３５０に供給されている間は、常に動作する。【００６３】
この切断推定部３５０における処理は、図１０に示されるように、ステップＳ１１において、切断推定部３５０が、上述した切断フラグがＯＮ状態であるか否かを判定する。この判定の結果が否定的であった場合（ステップＳ１１：Ｎ）には、処理はステップＳ１２へ進む。【００６４】
ステップＳ１２では、切断推定部３５０が、ＢＫＰ電源からの電力供給が途絶えたか否かを判定する。この判定の結果が否定的であった場合（ステップＳ１２：Ｎ）には、ステップＳ１２の処理が繰り返される。【００６５】
一方、ステップＳ１２における判定の結果が肯定的になると（ステップＳ１２：Ｙ）、処理はステップＳ１３へ進む。ステップＳ１３では、切断推定部３５０が、切断フラグをＯＮにする。この後、処理はステップＳ１１へ戻る。【００６６】
上述したステップＳ１１における判定の結果が肯定的であった場合（ステップＳ１１：Ｙ）には、処理はステップＳ１４へ進む。【００６７】
ステップＳ１４では、切断推定部３５０が、解析処理部３６０が本体部１２０からの初期化指令ＩＮＣを受け、解析処理部３６０から切断フラグをＯＦＦにすべき旨の通知ＣＬＣを受けたか否かを判定する。この判定の結果が否定的であった場合（ステップＳ１４：Ｎ）には、ステップＳ１４の処理が繰り返される。【００６８】
一方、ステップＳ１４における判定の結果が肯定的になると（ステップＳ１４：Ｙ）、処理はステップＳ１５へ進む。ステップＳ１５では、切断推定部３５０が、切断フラグをＯＦＦにする。この後、処理はステップＳ１１へ戻る。【００６９】
＜波形検出処理部１３０（切断推定部３５０を除く）における処理＞
次に、波形検出処理部１３０（切断推定部３５０を除く）におけるセキュリティ関連動作について説明する。この動作は、不図示のセンサにより、ＡＣＣ電源のＯＮを検知することにより、開始される。【００７０】
この処理では、まず、図１１に示されるように、ステップＳ２１において、波形検出処理部１３０の解析処理部３６０が、切断推定部３５０から切断フラグがＯＮ状態のときに送信される切断報告ＣＯＦを受けたか否かを判定する。【００７１】
このステップＳ２１における判定の結果が否定的であった場合（ステップＳ２１：Ｎ）には、波形検出処理部１３０は「学習モード」となり、解析処理部３６０が、「学習モード」の動作を行うべき旨の解析指令ＡＳＣを波形解析ユニット３２０へ向けて発行する。この後、処理はステップＳ２２へ進む。【００７２】
ステップＳ２２では、個別波形検出部３１１j（ｊ＝１〜Ｎ）のエッジ検出部が、例えば、ワイパーモータ９３２の駆動やウインカー９３４の点滅により、電圧信号ＳＧＮjの所定値以上の変化を検出したか否かを判定する。この判定の結果が否定的であった場合（ステップＳ２２：Ｎ）には、ステップＳ２２の処理が繰り返される。【００７３】
一方、ステップＳ２２における判定の結果が肯定的になると（ステップＳ２２：Ｙ）、処理はステップＳ２３へ進む。ステップＳ２３では、個別波形検出部３１１jが、電圧信号ＳＧＮjの収集を開始し、収集開始から所定時間が経過した後に電圧信号ＳＧＮjの収集を終了する。こうして収集された電圧信号ＳＧＮjは、デジタル電圧信号ＳＧＤjに変換され、波形解析ユニット３２０の個別波形解析部３２１jへ向けて送られる。この後、処理はステップＳ２４へ進む。【００７４】
ステップＳ２４では、個別波形解析部３２１jが、「学習モード」時における波形解析処理を行い、新たな電圧変化パターンＰＴＤjを算出する。かかる波形解析処理に際し、個別波形解析部３２１jは、個別波形検出部３１１jからのデジタル電圧信号ＳＧＤjを受けるとともに、記憶ユニット３３０の個別記憶部３３１jにアクセスして電圧変化パターンＰＴＤjを読み取る。そして、個別波形解析部３２１jは、これらのデータをもとにして、波形解析や統計処理等を行い、新たな電圧変化パターンＰＴＤjを算出する。この後、処理はステップＳ２５へ進む。【００７５】
ステップＳ２５では、個別波形解析部３２１jが、新たに算出した電圧変化パターンＰＴＤjを、個別記憶部３３１jの記憶領域へ書き込む。この後、処理はステップＳ２２へ戻る。【００７６】
上述したステップＳ２１における判定の結果が肯定的であった場合（ステップＳ２１：Ｙ）には、波形検出処理部１３０は「セキュリティモード」となり、解析処理部３６０が、「セキュリティモード」の動作を行うべき旨の解析指令ＡＳＣを波形解析ユニット３２０へ向けて発行する。この後、処理はステップＳ２６へ進む。【００７７】
ステップＳ２６では、前述したステップＳ２２と同様に、個別波形検出部３１１j（ｊ＝１〜Ｎ）のエッジ検出部が、例えば、ワイパーモータ９３２の駆動やウインカー９３４の点滅により、所定値以上の電圧信号ＳＧＮjの変化を検出したか否かを判定する。この判定の結果が否定的であった場合（ステップＳ２６：Ｎ）には、ステップＳ２６の処理が繰り返される。【００７８】
一方、ステップＳ２６における判定の結果が肯定的になると（ステップＳ２６：Ｙ）、処理はステップＳ２７へ進む。ステップＳ２７では、前述したステップＳ２３と同様に、個別波形検出部３１１jが、電圧信号ＳＧＮjの収集を開始し、収集開始から所定時間が経過した後に電圧信号ＳＧＮjの収集を終了する。こうして収集された電圧信号ＳＧＮjは、デジタル電圧信号ＳＧＤjに変換され、波形解析ユニット３２０の個別波形解析部３２１jへ向けて送られる。この後、処理はステップＳ２８へ進む。【００７９】
ステップＳ２８では、まず、個別波形解析部３２１jが、「セキュリティモード」時における処理として、個別波形検出部３１１jから送られてくるデジタル電圧信号ＳＧＤjを波形解析し、波形解析信号ＡＳＤjを算出する。こうして算出された波形解析信号ＡＳＤjは、マッチングユニット３４０の個別マッチング部３４１jへ向けて送られる。【００８０】
次いで、個別マッチング部３４１jは、個別記憶部３３１jの記憶領域にアクセスして電圧変化パターンＰＴＤjを読み取る。そして、個別マッチング部３４１jは、波形解析信号ＡＳＤjと電圧変化パターンＰＴＤjとの差を算出するマッチング処理を行う。この後、処理はステップＳ２９へ進む。【００８１】
ステップＳ２９では、個別マッチング部３４１jが、上記のようにして算出された両データの差が許容範囲内であるか否かを判定する。この判定の結果が肯定的であった場合（ステップＳ２９：Ｙ）には、処理はステップＳ２６へ戻る。【００８２】
一方、ステップＳ２９における判定の結果が否定的であった場合（ステップＳ２９：Ｎ）には、処理はステップＳ３０へ進む。このステップＳ３０では、解析処理部３６０が、本体通信部３７０を介し、セキュリティロックを設定すべき旨のセキュリティ報告ＳＣＩを本体部１２０へ向けて送る。この後、波形検出処理部１３０における処理は、終了する。【００８３】
＜本体部１２０における処理＞
次いで、本体部１２０におけるセキュリティ関連動作について説明する。この動作は、ＡＣＣ電源のＯＮによる通常の本体部１２０への電力供給が開始されると、開始される。【００８４】
この本体部１２０における処理は、図１２に示されるように、ステップＳ４１において、本体部１２０のセキュリティ制御部２１２が、波形検出処理部１３０からのセキュリティ報告ＳＣＩを受けたか否かを判定する。この判定の結果が否定的であった場合（ステップＳ４１：Ｎ）には、ステップＳ４１の処理が繰り返される。【００８５】
一方、ステップＳ４１における判定の結果が肯定的になると（ステップＳ４１：Ｙ）、処理はステップＳ４２へ進む。ステップＳ４２では、セキュリティ制御部２１２が、ナビゲーション装置１００に対してセキュリティロックを設定すべき旨のセキュリティ指令ＳＣＣを、ナビゲーション処理部２１１へ向けて送る。また、セキュリティ制御部２１２は、表示ユニット２４０及び／又は音出力ユニット２３０を利用して、正規利用者であることの識別情報であるパスワードの入力を利用者に促す。この後、処理はステップＳ４３へ進む。【００８６】
ステップＳ４３では、セキュリティ制御部２１２が、正規利用者である旨のパスワードを受けたか否かを判定する。この判定の結果が否定的であった場合（ステップＳ４３：Ｎ）には、ステップＳ４３の処理が繰り返される。【００８７】
一方、ステップＳ４３における判定の結果が肯定的になると（ステップＳ４３：Ｙ）、処理はステップＳ４４へ進む。【００８８】
ステップＳ４４では、セキュリティ制御部２１２が、波形検出処理部１３０へ向けて初期化指令ＩＮＣを発行するとともに、ナビゲーション処理部２１１へ向けてセキュリティロックを解除すべき旨のセキュリティ指令ＳＣＣを発行する（図３参照）。この後、本体部１２０における処理は、終了する。【００８９】
以上説明したように、本実施形態では、車両内に配設されたワイパーモータ９３２や、ウインカー９３４等の機器に供給される動作電力配線における電圧信号ＳＧＮj（ｊ＝１〜Ｎ）を、波形検出処理部１３０がモニターする。そして、波形検出処理部１３０は、ワイパーモータ９３２の駆動時における電圧信号ＳＧＮ1の波形パターンや、ウインカー９３４の点滅時における電圧信号ＳＧＮ2の波形パターンを電圧変化パターンとして学習して記憶する。ＢＫＰ電源からの電力供給が遮断したことにより、ナビゲーション装置１００が盗難にあった可能性がある場合には、記憶ユニット３３０に記憶された電圧変化パターンと、今回収集した波形解析信号とのマッチング処理を行い、その結果に基づいて、セキュリティロックを設定するかどうかを判断する。このため、ナビゲーション装置１００側において、セキュリティロック動作の実行、または、非実行を制御するため、利用者の操作を極力減らすことができる。【００９０】
したがって、本実施形態によれば、セキュリティロック動作を合理的に制御することができ、車両等に搭載された電装品の盗難を防止しつつ、利用者の利便性を向上させることができる。【００９１】
［実施形態の変形］
本発明は、上記の実施形態に限定されるものではなく、様々な変形が可能である。【００９２】
例えば、上記の実施形態では、波形検出処理部１３０が検出する電圧信号ＳＧＮjは、Ｎ個としたが、この監視する電圧信号は１個以上であれば、何個であってもよい。【００９３】
また、上記に実施形態では、マッチングユニット３４０は、「セキュリティモード」時に、ＢＫＰ電源からの電力供給が途絶えた後に収集した波形解析信号と、ＢＫＰ電源からの電力供給が途絶える前に収集解析した電圧変化パターンとの差が許容範囲内にあるか否かを判定した。これに対して、マッチングユニット３４０は、ＢＫＰ電源からの電力供給が途絶えた後に収集した波形解析信号と、ＢＫＰ電源からの電力供給が途絶える前に収集した波形解析信号そのものとの差が許容範囲内にあるか否かを判定するものであってもよい。【００９４】
また、上記の実施形態では、波形検出処理部１３０が検出するのは電圧信号としたが、所定の動作環境において発生した信号であれば、いかなる信号であってもよい。【００９５】
また、上記の実施形態では、切断推定部３５０は充電式電池を備えることとしたが、これに代えて、大容量のキャパシタ素子を備えるものであってもよい。【００９６】
また、上記の実施形態においては、車両に搭載されるナビゲーション装置に本発明を適用したが、ナビゲーション装置以外の例えば、音響装置等に本発明を適用することができる。【００９７】
また、上記の実施形態においては、車両に搭載される情報処理装置に本発明を適用したが、車両以外の他の移動体に搭載される情報処理装置にも本発明を適用することもできるし、また、例えば、家庭内等に設置される情報処理装置に本発明を適用することもできる。【００９８】
なお、上記の実施形態における制御ユニット２１０の一部又は全部を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図１】
2009075021.tif 000003
【図２】
2009075021.tif 000004
【図３】
2009075021.tif 000005
【図４】
2009075021.tif 000006
【図５】
2009075021.tif 000007
【図６】
2009075021.tif 000008
【図７】
2009075021.tif 000009
【図８】
2009075021.tif 000010
【図９】
2009075021.tif 000011
【図１０】
2009075021.tif 000012
【図１１】
2009075021.tif 000013
【図１２】
2009075021.tif 000014
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
移動体に搭載され、特定機能の動作を行うとともに、前記移動体において提供される所定の動作環境からの切り離しが可能な情報処理装置であって、
前記移動体に固定的に配設された機器の動作時に発生した少なくとも１つの信号の変化を検出する検出手段と；
前記所定の動作環境から切り離されたことを推定する推定手段と；
前記推定手段により前記所定の動作環境から切り離されたと推定された後に、その後の前記検出手段による検出結果と、前記所定の動作環境から切り離されたと推定される前の前記検出手段によって検出された信号の変化とを比較する比較手段と；
前記比較手段による比較結果に基づいて、前記特定機能の動作を継続して行わせるか否かを制御する制御手段と；
を備えることを特徴とする情報処理装置。
【請求項２】
前記検出手段は、前記信号の変化があったときから開始し、開始から所定時間を経過したときに、前記信号変化の検出を終了する、ことを特徴とする請求項１に記載の情報処理装置。
【請求項３】
前記推定手段は、前記所定の動作環境からの動作電力供給が途絶えた場合に、前記所定の動作環境から切り離されたと推定する、ことを特徴とする請求項１又は２に記載の情報処理装置。
【請求項４】
前記検出手段による検出結果に基づいて、前記少なくとも１つの信号ごとの信号変化パターンを算出する算出手段を更に備え、
前記所定の動作環境から切り離されたと推定される前の信号の変化は、前記算出手段により算出された前記信号変化パターンに基づいて特定される、
ことを特徴とする請求項１〜３のいずれか一項に記載の情報処理装置。
【請求項５】
前記制御手段は、前記推定手段により前記所定の動作環境から切り離されたと推定された場合に、前記検出手段及び前記算出手段の動作を停止させる、ことを特徴とする請求項４に記載の情報処理装置。
【請求項６】
正規利用者であることを確認する利用者確認手段を更に備え、
前記制御手段は、前記特定機能の動作の保留中に、前記利用者確認手段により前記正規利用者であることが確認されると、動作の保留解除を行い、前記特定機能の動作を開始させる、
ことを特徴とする請求項１〜５のいずれか一項に記載の情報処理装置。
【請求項７】
前記検出手段による検出結果に基づいて、前記少なくとも１つの信号ごとの信号変化パターンを算出する算出手段を更に備え、
前記所定の動作環境から切り離されたと推定される前の信号の変化は、前記算出手段により算出された前記信号変化パターンに基づいて特定され、
前記制御手段は、前記利用者確認手段により前記正規利用者であることが確認された場合に、前記算出手段により算出された信号変化パターンが記憶される記憶手段内の記憶内容を初期化するとともに、前記検出手段及び前記算出手段の動作を開始させる、ことを特徴とする請求項６に記載の情報処理装置。
【請求項８】
前記移動体は車両であり、
前記検出手段は、前記車両に固定的に配設された機器に供給される動作電力配線における少なくとも１つの電気信号の変化を検出する、
ことを特徴とする請求項１〜７のいずれか一項に記載の情報処理装置。
【請求項９】
移動体に搭載され、特定機能の動作を行うとともに、前記移動体において提供される所定の動作環境からの切り離しが可能な情報処理装置において使用される機能動作制御方法であって、
前記移動体に固定的に配設された機器の動作時に発生した少なくとも１つの信号の変化を検出する検出工程と；
前記所定の動作環境から切り離されたことを推定する推定工程と；
前記推定工程における推定結果に基づいて、前記所定の動作環境から切り離されたと推定された後に、その後の前記検出工程における検出結果と、前記所定の動作環境から切り離されたと推定される前の前記検出工程において検出された信号の変化とを比較する比較工程と；
前記比較工程における比較結果に基づいて、前記特定機能の動作を継続して行わせるか否かを制御する制御工程と；
を備えることを特徴とする機能動作制御方法。
【請求項１０】
請求項９に記載の機能動作制御方法を演算手段に実行させる、ことを特徴とする機能動作制御プログラム。
【請求項１１】
請求項１０に記載の機能動作制御プログラムが演算手段により読み取り可能に記録されている、ことを特徴とする記録媒体。
【手続補正２】
【補正対象書類名】明細書
【補正対象項目名】０００８
【補正方法】変更
【補正の内容】
【０００８】
本発明は、第１の観点からすると、移動体に搭載され、特定機能の動作を行うとともに、前記移動体において提供される所定の動作環境からの切り離しが可能な情報処理装置であって、前記移動体に固定的に配設された機器の動作時に発生した少なくとも１つの信号の変化を検出する検出手段と；前記所定の動作環境から切り離されたことを推定する推定手段と；前記推定手段により前記所定の動作環境から切り離されたと推定された後に、その後の前記検出手段による検出結果と、前記所定の動作環境から切り離されたと推定される前の前記検出手段によって検出された信号の変化とを比較する比較手段と；前記比較手段による比較結果に基づいて、前記特定機能の動作を継続して行わせるか否かを制御する制御手段と；を備えることを特徴とする情報処理装置である。
【手続補正３】
【補正対象書類名】明細書
【補正対象項目名】０００９
【補正方法】変更
【補正の内容】
【０００９】
本発明は、第２の観点からすると、  移動体に搭載され、特定機能の動作を行うとともに、前記移動体において提供される所定の動作環境からの切り離しが可能な情報処理装置において使用される機能動作制御方法であって、前記移動体に固定的に配設された機器の動作時に発生した少なくとも１つの信号の変化を検出する検出工程と；前記所定の動作環境から切り離されたことを推定する推定工程と；前記推定工程における推定結果に基づいて、前記所定の動作環境から切り離されたと推定された後に、その後の前記検出工程における検出結果と、前記所定の動作環境から切り離されたと推定される前の前記検出工程において検出された信号の変化とを比較する比較工程と；前記比較工程における比較結果に基づいて、前記特定機能の動作を継続して行わせるか否かを制御する制御工程と；を備えることを特徴とする機能動作制御方法である。
【手続補正４】
【補正対象書類名】明細書
【補正対象項目名】００９７
【補正方法】変更
【補正の内容】
【００９７】
また、上記の実施形態においては、車両に搭載される情報処理装置に本発明を適用したが、車両以外の他の移動体に搭載される情報処理装置にも本発明を適用することもできる。
【国際調査報告】
2009075021.tif 000015
2009075021.tif 000016
2009075021.tif 000017
2009075021.tif 000018